(57)【要約】      （修正有）【課題】複合針の針本体とスライダを独立して動作させることができるカムシステムを備えたクリーナーを提供する。【解決手段】複合針を備える横編機２００に取り付けられ、針本体のフック近傍から塵埃を除去するクリーナー１００であって、針床に沿って摺動される基体１と、出没自在に構成される複数の出没カムを有し、フック近傍の塵埃をエアにより取り除くエアノズル３とを備え、出没カムの出没状態を、針本体とスライダの双方が動作される出没状態、針本体のみが動作される出没状態、あるいはスライダのみが動作される出没状態、のいずれかとなるように切り替える切り替え機構を備える。【選択図】図１
2011162894.tif 000002
【特許請求の範囲】
【請求項１】
針本体のフックをスライダで開閉する複数の複合針を針床の針溝に備える横編機に取り付けられ、前記フック近傍から塵埃を除去するためのクリーナーであって、
前記針床上に着脱自在に取り付けられ、針床の長手方向に沿って摺動される基体と、
前記基体から出没自在に構成される複数の出没カムを有し、基体の摺動に伴って前記針本体とスライダの少なくとも一方を前記針溝に沿う方向に動作させるカムシステムと、
前記フック近傍の塵埃をエアにより取り除くエアノズルと、
各出没カムの出没状態を、針本体とスライダの双方が動作される出没状態、針本体のみが動作される出没状態、あるいはスライダのみが動作される出没状態、のいずれかとなるように切り替える切り替え機構と、
を備えることを特徴とするクリーナー。
【請求項２】
前記切り替え機構は、
基体に回転自在に軸支される回転体と、
回転体の回転動作を出没カムの出没動作に変換して伝達する動力伝達機構と、
を備えることを特徴とする請求項１に記載のクリーナー。
【請求項３】
前記回転体は、前記基体における出没カムと反対側の面に回転可能に軸支される板状部材であり、
前記動力伝達機構は、
前記回転体の周縁部に形成されるカム面と、
各出没カムの裏面から延びて、前記回転体の外周を取り囲むように前記基体を貫通する軸部と、
前記基体と前記出没カムとの間で前記軸部の外周に嵌め込まれ、前記出没カムを突出方向に付勢する弾性体と、
前記軸部から回転体の周縁部に迫り出し、当該周縁部のカム面に当接する当接部と、
を備え、
前記回転体を回転させることで、軸部の軸方向における当接部の位置を変え、軸部を介して当接部に連結される出没カムの出没状態を切り替えることを特徴とする請求項２に記載のクリーナー。
【発明の詳細な説明】
【技術分野】
【０００１】
本発明は、横編機の針床に列設される編針のフック近傍の塵埃をエア（ａｉｒ）により取り除くクリーナーに関する。
【背景技術】
【０００２】
横編機は、針床と針床の長手方向に往復動作するキャリッジとを備え、針床に列設される複数の編針を針溝の長手方向に進退させることで編地を編成する装置である。この種の横編機では、その使用に伴い編針のフック近傍の凹凸に編糸の繊維の毛羽などの塵埃が蓄積することがあるため、特許文献１に示すようなクリーナーにより当該フック近傍を定期的にクリーニングすることが好ましい。
【０００３】
特許文献１のクリーナーは、針床に対して針床の長手方向に摺動自在に取り付けられる掃除機基体と、この掃除機基体のうち針床に対向する面から針床に向かって突出するカムシステムと、編針のフック近傍にエアを噴射するノズルとを備える。このクリーナーを針床上で移動させると、カムシステムにより編針のバットが歯口に向かって突き上げられ、それに伴い編針が歯口に向かって進出される。そして、編針が歯口に進出された状態で編針のフック近傍にエアが噴射され、当該フック近傍の凹凸（特許文献１では、目移し用の羽根）にたまった塵埃が除去される。
【先行技術文献】
【特許文献】
【０００４】
【特許文献１】実開平２−１１５５９１号公報
【発明の概要】
【発明が解決しようとする課題】
【０００５】
ところで、特許文献１のクリーナーは、べら針のクリーニングを前提として構成されており、カムシステムの突出状態が固定されているため、複合針のクリーニングには向いていない。複合針は、フックを有する針本体とこの針本体に摺動嵌合するスライダとを備え、スライダを針本体と独立して進退させることで針本体のフックを開閉する編針である。このような複雑な構成を備える複合針の針本体とスライダには塵埃が蓄積する凹凸が多く形成されるので、これら凹凸を余すところなくクリーニングしたいという要望がある。しかし、このような要望に応えるには、針本体のみを進出状態としたり、スライダのみを進出状態としたりできるカムシステムを備えたクリーナーが必要になるが、そのようなクリーナーは現在のところ提案されていない。
【０００６】
本発明は、上記事情に鑑みてなされたものであり、その目的は、複合針の針本体とスライダを独立して動作させることができるカムシステムを備えたクリーナーを提供することにある。
【課題を解決するための手段】
【０００７】
本発明は、針本体のフックをスライダで開閉する複数の複合針を針床の針溝に備える横編機に取り付けられ、前記フック近傍から塵埃を除去するためのクリーナーに係る。この本発明クリーナーは、基体と、カムシステムと、エアノズルと、切り替え機構と、を備えることを特徴とする。基体は、針床上に着脱自在に取り付けられ、針床の長手方向に沿って摺動される。カムシステムは、基体から出没自在に構成される複数の出没カムを有し、基体の摺動に伴って複合針の針本体とスライダの少なくとも一方を針溝に沿う方向に動作させる。エアノズルは、複合針のフック近傍の塵埃をエアにより取り除く。切り替え機構は、各出没カムの出没状態を、針本体とスライダの双方が動作される出没状態、針本体のみが動作される出没状態、あるいはスライダのみが動作される出没状態、のいずれかとなるように切り替える。
【０００８】
本発明クリーナーの一形態として、クリーナーに備わる切り替え機構は、基体に回転自在に軸支される回転体と、回転体の回転動作を出没カムの出没動作に変換して伝達する動力伝達機構と、を備えることが好ましい。回転動作を直線的な出没動作に変換する機構としては、例えば、ウォームとラックの組み合わせや、ピニオンとラックの組み合わせなど、種々公知の機構を用いることができる。
【０００９】
本発明クリーナーの一形態として、クリーナーに備わる切り替え機構は、基体における出没カムと反対側の面に回転可能に軸支される板状の回転体と、この回転体の回転動作を出没カムの出没動作に変換して伝達する動力伝達機構と、を備えることが好ましい。この構成における動力伝達機構は、カム面、軸部、弾性体、および当接部を備えることが好ましい。カム面は、回転体の周縁部に形成される。軸部は、各出没カムの裏面から延びて、回転体の外周を取り囲むように基体を貫通する。弾性体は、基体と出没カムとの間で軸部の外周に嵌め込まれ、出没カムを突出方向に付勢する。当接部は、軸部から回転体の周縁部に迫り出し、当該周縁部のカム面に当接する。これらの構成を備えるクリーナーでは、回転体を回転させることで、軸部の軸方向における当接部の位置を変え、軸部を介して当接部に連結される出没カムの出没状態を切り替える。
【発明の効果】
【００１０】
本発明クリーナーによれば、針本体のフックやスライダに付着した塵埃をエアで取り除くにあたり、複合針の針本体とスライダとを独立して動かすことができるので、塵埃を効果的に取り除くことができる。
【００１１】
また、回転体を用いた切り替え機構によれば、回転体を回すだけで出没カムの出没状態を選択的に切り替えることができる。
【００１２】
さらに、回転体にカム面を設けた構成によれば、後述する実施形態に示すように、複数の出没カムを備える場合であっても、各出没カムの出没状態が異なる複数の出没パターンを、１つの回転体を手動で回すだけで切り替えることができる。
【図面の簡単な説明】
【００１３】
【図１】実施形態に係るクリーナーを横編機の針床上に取り付けた状態を示す概略図である。
【図２】実施形態に係るクリーナーの概略図であって、（Ａ）は正面図、（Ｂ）は右側面図、（Ｃ）は部分背面図である。
【図３】クリーナーに備わるカムシステムと、複合針に備わるバットとの対応関係を示す説明図である。
【図４】出没自在に構成されたカムが針本体のバットに作用する様子を示す説明図であって、（Ａ）はカムが没状態にある場合、（Ｂ）はカムが突出状態にある場合を示す図である。
【図５】クリーナーに備わる切り替え機構の説明図であって、（Ａ）は切り替え機構の回転体の正面図、（Ｂ）は回転体の側から見た回転体とカムシステムとの対応関係を示す図、（Ｃ）は回転体の回転を抑制する構造を示す図である。
【図６】カムシステムに備わる各カムの出没状態に応じた複合針の動作の様子を示す説明図であって、（Ａ）は針本体とスライダが共に上昇する場合、（Ｂ）はスライダのみが上昇する場合、（Ｃ）は針本体とスライダが共に下降する場合を示す図である。
【発明を実施するための形態】
【００１４】
以下、本発明の実施形態を図に基づいて説明する。図１に示すように、本発明クリーナー１００は、横編機２００の針床８上に取り付けて使用する。
【００１５】
＜横編機＞
図１に示す横編機２００は、互いに対向する１対の針床８を備え、各針床８上に列設される複数の針溝のそれぞれに嵌め込まれる複合針９により編地を編成する装置である。複合針９は図３にも示すように、針本体９１とこの針本体９１に摺動自在に取り付けられるスライダ９２とを備え、両者９１，９２を独立して歯口８０方向に進退させることができる構成である。針本体９１やスライダ９２を歯口８０に向かって進出させる、あるいは歯口８０から退出させる場合、図示しないキャリッジに備わるカムシステムにより針本体９１とスライダ９２にそれぞれ設けられるバット９１ｂ，９２ｂを歯口８０側に突き上げる、あるいは歯口８０とは反対側に引き下げる。なお、本明細書では、セレクタなどからなる公知の選針部９９については説明を省略する。
【００１６】
なお、複合針は、針本体に対して１枚のスライダを備えるもの（特許第２５３１５３５号広報を参照）であっても良いし、針本体に対して２枚のスライダを備えるもの（特許第２９４６３２３号公報を参照）であっても良い。
【００１７】
＜クリーナー＞
図１，２に示すクリーナー１００は、従来のクリーナーと同様に、基体１と、基体１のうち針床８に対向する対向面に形成されるカムシステム２と、カムシステム２により歯口８０側に進出した複合針９のフック９１ｆ近傍に蓄積した塵埃を取り除くためのエアノズル３と、を備える。このクリーナー１００の最も特徴とするところは、カムシステム２を構成する複数のカムのうち、一部のカムが、基体１に対して出没自在に構成され、これら出没自在のカムの出没状態を切り替える切り替え機構を備えることにある。
【００１８】
基体１は、概略矩形の板状部材１１と、この板状部材１１の一端側で板状部材１１を挟み込む２枚の板状部材１２，１３と、これら板状部材１２，１３に固定される台座１４と、を備える。基体１は、その上端側にある台座１４に設けられるローラ１７，１７と、下端側にある板状部材１１に設けられるスライド溝１８を有する。図１に示すように、ローラ１７，１７は、キャリッジを走行させるために針床８上方に設けられ走行レール８Ａを挟み込むことができ、スライド溝１８は、針床８の下端側に設けられる走行レール８Ｂを嵌め込むことができるようになっている。この構成により、基体１を針床８の長手方向に沿って往復させることができる。基体１を往復させる際は、基体１の板状部材１１，１２を繋ぐように設けられるアーチ状の取っ手１５と、台座１４に設けられるＴ型の取っ手１６を持って行えば良い。
【００１９】
基体１の上端側にある台座１４にはエアノズル３が固定されている。エアノズル３は、図示しないエア供給源に接続され、エア供給源から供給される圧縮エアをフック９１ｆ近傍に噴射する。エアノズル３の先端は、後述する図６（Ａ）〜（Ｃ）の上段図に示すように、針床８の長手方向に並ぶ複数の噴射口３１〜３４を有する。各噴射口３１〜３４の圧縮エアの噴射方向は、図１，図３の点線で示すように複合針９の進退方向にズレており、針本体９１とスライダ９２が進出状態にあるときも退出状態にあるときもフック９１ｆ近傍に圧縮エアがあたるようになっている。なお、エアノズル３は、エアを吸い込むことでフック近傍９１ｆの塵埃を取り除く構成であっても良い。
【００２０】
基体１の板状部材１３のうち、針床８に対向する面には、複数のカムを備えるカムシステム２が形成されている（図２（Ｂ）、図２（Ｃ）、図３参照）。カムシステム２は、概略山形のカム２１と、カム２１の両側に設けられる概略平行四辺形型のカム２２，２２と、概略台形状のカム２３と、カム２３の両側に設けられる概略逆山形のカム２４，２４と、板状部材１３の上下に配される概略帯状のガイドカム２５，２６とからなる。カム２１は、針本体９１のバット９１ｂに作用して針本体９１を歯口側（図３の紙面上方）に進出させるカムであり、カム２２は、当該バット９１ｂに作用して針本体９１を歯口側から退出させるカムである。一方、カム２３は、スライダ９２のバット９２ｂに作用してスライダ９２を歯口側に進出させるカムであり、カム２４は、当該バット９２ｂに作用してスライダ９２を歯口側から退出させるカムである。これらカム２１〜２４のうち、カム２３は常に突出状態で板状部材１３に固定されるカム（以下、固定カム）であり、カム２１，２２，２４は、板状部材１３に出没自在に取り付けられるカム（以下、出没カム）である。また、ガイドカム２５は、下がりすぎたバット９１ｂを正規のルートに戻すカム、ガイドカム２６は、バット９２ｂの上昇位置を決めるカムである。
【００２１】
図５（Ｂ）に示すように、出没カム２１，２２，２４の裏面からはそれぞれ軸部２１ｂ，２２ｂ，２４ｂが延びている。これら軸部２１ｂ，２２ｂ，２４ｂは、板状部材１２を貫通して板状部材１２の表面に露出している（図２（Ａ），（Ｂ）を合わせて参照）。また、出没カム２１，２２，２４と板状部材１３との間で、軸部２１ｂ，２２ｂ，２４ｂの外周には弾性体が取り付けられており、出没カム２１，２２，２４は常に針床側に付勢されている（図４を参照し、後段で詳述する）。また、軸部２１ｂ，２２ｂ，２４ｂの端部には、軸部２１ｂ，２２ｂ，２４ｂの軸方向に直交する方向に突出する円筒状の当接部２１ｐ，２２ｐ，２４ｐが、軸部２１ｂ，２２ｂ，２４ｂに対して回転自在に軸支されている。各軸部２１ｂ，２２ｂ，２４ｂは後述する回転体４の回転軸を中心とする同心円上に配置され、当接部２１ｐ，２２ｐ，２４ｐは、当該回転軸に向かって伸びている。
【００２２】
一方、上記軸部２１ｂ，２２ｂ，２４ｂが貫通して突出する板状部材１２には、切り替え機構の一部である回転体４が取り付けられている。回転体４は、図５（Ａ），（Ｂ）に示すように、切り欠きを有する円板であって、基体１の板状部材１２に回転可能に軸支され、回転体４の軸部に設けられるレバー４３を手動で回すことで回転させることができる。回転体４の回転角は、回転体４の切り欠かれた部分の壁面４４（４５）と、板状部材１２に設けた回り止め突起１２４（１２５）とが当接することで制限される。
【００２３】
また、回転体４は、回転体４の回転位置を決めるための３つの回り止め孔４６〜４８を有しており、各回り止め孔４６〜４８に対応して３つのポジションを取り得る。回り止め孔４６〜４８を用いた位置決め機構はほぼ共通しているので、回り止め孔４７を例に説明する。まず、図５（Ｃ）に示すように、回り止め孔４７は、内径が一様な同径部と、内径が徐々に大きくなっているテーパ部を有し、後者の部分は板状部材１２の側に配されている。一方、回転体４が当接する板状部材１２には、穴状のバネ座１２ｈが１つ設けられており、このバネ座１２ｈにはバネ１２ｓとボール１２ｂが収納されている。ボール１２ｂはバネ１２ｓにより回転体４の回り止め孔４７に向かって付勢され、回り止め孔４７のテーパ部に嵌り込み、クリーナーを使用する際の振動程度では回転体４が回転しないように回転体４を固定する。この状態からレバー４３で回転体４を回転させる方向に力を加えると、その力が所定値を超えたときに回り止め孔４７のテーパ部の内周面によりボール１２ｂがバネ座１２ｈの奥に押し下げられるので、回転体４を回転させることができる。そして、回転体４の回転により回転体４の回り止め孔４６（４８）がバネ座１２ｈの位置にくれば、ボール１２ｂが回り止め孔４６（４８）のテーパ部に嵌り込み、回転体４の位置が固定される。
【００２４】
ここで、本実施形態では、ボール１２ｂが回り止め孔４６に嵌合したとき（図５（Ｂ）のとき）を第１ポジションとし、ボール１２ｂが回り止め孔４７に嵌合したときを第２ポジション、ボール１２ｂが回り止め孔４８に嵌合したときを第３ポジションとする。
【００２５】
また、回転体４は、その外周縁から中心に向かって所定の幅を有する領域である周縁部４０において、厚さに起伏を有する。この周縁部４０における厚みの大きな山部４１と厚みの小さな谷部４２とが滑らかに連続することでカム面が形成されている。このカム面を有する周縁部４０に、前述の軸部２１ｂ，２２ｂ，２４ｂに設けられる当接部２１ｐ，２２ｐ，２４ｐの側面が当て止めされることで、出没カム２１，２２，２４の出没状態が切り替えられる。代表して、図４を参照して出没カム２１の出没状態を切り替える場合を説明する。
【００２６】
図４では、出没カム２１近傍と、針床８の針溝に配置される針本体９１のうち、出没カム２１に対応するニードルジャックのみを示す。また、図４における紙面下方の二点鎖線は、針溝の底部を、紙面上方の二点鎖線は針床の上面を示す。この図４に示すように、出没カム２１は、出没カム２１と板状部材１２との間で軸部２１ｂの外周に取り付けられるバネ５ｓにより常に針本体９１の側に付勢されている。ここで、図４（Ａ）のように当接部２１ｐがカム面の山部４１に当て止めされている場合、出没カム２１は没状態となる。この状態から回転体４を回転させ、図４（Ｂ）のように当接部２１ｐがカム面の谷部４２に当て止めされるようにすると、軸部２１ｂは、図４（Ａ）の状態よりも板状部材１３側に移動し、出没カム２１は突出状態となる。ここで、当接部２１ｐは、軸部２１ｂに回転可能に軸支されているので、回転体４の回転に伴って回転することができ、回転体４の回転を阻害しない。なお、当接部２１ｐは、軸部２１ｂの先端に取り付けられる球状体としても良い。その場合も、当接部２１ｐがカム面上を滑らかに移動でき、回転体４の回転を阻害しない。
【００２７】
次に、回転体４の回転位置により出没カム２１，２２，２４の出没状態がどのように切り替えられ、複合針９がどのような動きをするかについて、図６に基づいて説明する。図６（Ａ）は回転体４を第１ポジションに合わせた場合、図６（Ｂ）は回転体４を第２ポジションに合わせた場合、図６（Ｃ）は回転体４を第３ポジションに合わせた場合の説明図である。図６（Ａ）〜（Ｃ）の上段図は各ポジションにおける針本体９１とスライダ９２の先端部の軌跡とエアノズル３の位置関係を、下段図は回転体４の側面の展開図であって周縁部４０のどの位置に当接部２１ｐ，２２ｐ，２４ｐが存在するかを、中段図は矢印の方向にクリーナーを移動させたときのバット９１ｂ，９２ｂの軌跡を示す。展開図のアルファベットの位置は、図５（Ａ）のアルファベットの位置に一致する。
【００２８】
まず、回転体４を第１ポジションに合わせた図６（Ａ）の場合について説明すると、下段図に示すように、当接部２１ｐが回転体４の谷部４２に当接し、他の当接部２２ｐ，２４ｐは山部４１に当接する。その場合、中段図に示すように、出没カム２１のみが突出状態となり、出没カム２１により針本体９１のバット９１ｂが上方に突き上げられる。一方、スライダのバット９２ｂは、常に突出状態にある固定カム２３により上方に突き上げられる。その結果、上段図に示すように、スライダ９２が突き上げられ、その後に針本体９１が突き上げられ、最終的にはスライド９２と針本体９１の両方が突き上げられた状態になる。突き上げられたバット９１ｂ，９２ｂは、紙面左側の出没カム２２，２４が没状態にあるので、突き上げられたままとなり、針本体９１とスライダ９２も突き上げられたままとなる。なお、第１ポジションを維持したままクリーナーを反転させた場合、バット９１，９２ｂにいずれのカム２１〜２６も作用しないので、往動時よりも少ない負荷でクリーナーを動かすことができる。
【００２９】
次に、回転体４を第１ポジションに合わせてクリーニングした複合針９に対して、回転体４を第２ポジションに変更してクリーニングを行う場合を図６（Ｂ）に基づいて説明する。回転体４を第２ポジションにすると、当接部２１ｐ，２４ｐが山部４１に当接し、当接部２２ｐが谷部４２に当接する。その場合、中段図に示すように、出没カム２２のみが突出状態になり、突き上げられた状態にある針本体９１のバット９１ｂは出没カム２２で引き下げられ、突き上げられた状態にあるスライダ９２のバット９２ｂは突き上げられたままとなる。その結果、上段図に示すように、スライダ９２が突き上げられたまま、針本体９１は引き下げられる。この第２ポジションの場合も、クリーナーを反転させたときに、バット９１ｂ，９２ｂにいずれのカム２１〜２６も作用せず、往動時よりも少ない負荷でクリーナーを動かすことができる。
【００３０】
最後に、図６（Ｃ）に示すように、回転体４を第３ポジションに変更してクリーニングを行う場合、当接部２２ｐ，２４ｐが谷部４２に当接し、出没カム２２，２４が突出状態になる。その場合、引き下げられた状態にある針本体９１は引き下げられたまま、引き上げられた状態にあるスライダ９２は紙面右側の出没カム２４で一旦引き下げられ、次いで固定カム２３で突き上げられ、最終的に紙面左側の出没カム２４で引き下げられる。その結果、針本体９１とスライダ９２の両方が引き下げられる。
【００３１】
以上説明したように、回転体４のポジションごとに複合針９に備わる針本体９１とスライダ９２が異なる動きをするので、針本体９１のフック９１ｆ近傍の凹凸やスライダ９２の凹凸に蓄積した塵埃を効果的にクリーニングすることができる。また、カムを出没自在とすることで、動かす必要のないバットに対してカムが作用しないようにできるので、少ない負荷でクリーナーを往復させることができる。さらに、本実施形態のクリーナーでは、図６（Ａ）のようにクリーナーを往動させて針本体９１とスライダ９２の両方を動作させる場合であっても、針本体９１とスライダ９２が同時に突き上げられることがなく、クリーナーを往復させる負荷が小さい。これは、図６（Ａ）の中段図に示すように、バット９１ｂを突き上げる出没カム２１の斜面の位置と、バット９２ｂを突き上げる固定カム２３の斜面の位置とが、クリーナーのスライド方向（紙面左右方向）に重複していないためである。
【００３２】
ここで、図６を参照したクリーニングの手順は、回転体のポジションを番号順に切り替えて行う場合を説明したが、もちろんこの順番に限定されるわけではない。また、３つのポジションのうち、１つ、あるいは２つのみを使用してクリーニングを行っても良い。
【００３３】
なお、本発明の実施形態は上述した実施形態に限定されるわけではなく、本発明の要旨を逸脱しない範囲で適宜変更することができる。例えば、出没カムの出没を切り替える切り替え機構は、ソレノイドなどを用いた電磁気的手段により構成しても良い。
【符号の説明】
【００３４】
１００  クリーナー
１  基体
１１，１２，１３  板状部材  １４  台座  １５，１６  取っ手
１７  ローラ  １８  スライド溝
１２ｈ  バネ座  １２ｓ  バネ  １２ｂ  ボール
１２４，１２５  回り止め突起
２  カムシステム
２１，２２，２４  出没カム  ２３  固定カム  ２５，２６  ガイドカム
２１ｂ，２２ｂ，２４ｂ  軸部
２１ｐ，２２ｐ，２４ｐ  当接部
５ｓ  バネ
３  エアノズル
３１，３２，３３，３４  噴射口
４  回転体
４０  周縁部  ４１  山部  ４２  谷部  ４３  レバー  ４４，４５  壁面
４６，４７，４８  回り止め孔
２００  横編機
８  針床
８Ａ，８Ｂ  走行レール
８０  歯口
９  複合針
９１  針本体  ９１ｆ  フック  ９１ｂ  バット
９２  スライダ  ９２ｂ  バット
９９  選針部
【図１】
2011162894.tif 000003
【図２】
2011162894.tif 000004
【図３】
2011162894.tif 000005
【図４】
2011162894.tif 000006
【図５】
2011162894.tif 000007
【図６】
2011162894.tif 000008